(57)【特許請求の範囲】
【請求項１】
長周期地震を検出する地震検出装置、および該地震検出装置の検出結果をもとにエレベータの運行を制御するエレベータ制御装置を備えたエレベータ装置において、
前記地震検出装置は、試験入力端子を有し長周期地震を検出する加速度センサ、前記加速度センサの試験入力端子に試験入力を供給する押しボタンスイッチ、および前記押しボタンスイッチが押下されたとき前記加速度センサが出力する擬似的な加速度検出信号をもとに加速度センサを診断する制御装置、診断結果を表示する表示装置、該表示装置を備えた地震検出装置を収容する筐体を備え、
該筐体の前記押しボタンスイッチおよび表示装置を被覆する部分は開閉自在の透明カバーで構成すると共に、
前記地震検出装置は、診断結果を外部と送受信する外部入出力回路を備え、該外部入出力回路の動作状態をもとに表示装置を点灯または消灯して地震検出装置の異常を表示することを特徴とするエレベータ装置。
【発明の詳細な説明】
【技術分野】
【０００１】
本発明は、エレベータ装置に係り、特に長周期地震を検出する機能を備えたエレベータ装置に関する。
【背景技術】
【０００２】
地震時管制運転を行うエレベータ制御装置は、地震計あるいは緊急地震速報システムから地震情報を受信する受信機を備え、地震情報を受信したとき、例えば、ディスプレイに地震発生情報を表示するとともに、乗客にエレベータの利用を控えるように促すメッセージを表示している（特許文献１参照）。
【先行技術文献】
【特許文献】
【０００３】
【特許文献１】特開２００８−１０５８４５号公報
【発明の概要】
【発明が解決しようとする課題】
【０００４】
ところで、前記地震計のうち、長周期地震を感知する地震計は、長周期の小さい加速度の振動を感知する装置であるため、保守点検時に外部から長周期地震と同等の長周期の小さい加速度の試験信号を与えて試験を行うことは困難である。
【０００５】
本発明は、このような問題点に鑑みてなされたもので、長周期の小さい加速度の振動を感知する装置を備えた地震検出装置の故障を簡易に診断することのできるエレベータ装置を提供するものである。
【課題を解決するための手段】
【０００６】
本発明は上記課題を解決するため、次のような手段を採用した。
【０００７】
長周期地震を検出する地震検出装置、および該地震検出装置の検出結果をもとにエレベータの運行を制御するエレベータ制御装置を備えたエレベータ装置において、前記地震検出装置は、試験入力端子を有し長周期地震を検出する加速度センサ、前記加速度センサの試験入力端子に試験入力を供給する押しボタンスイッチ、および前記押しボタンスイッチが押下されたとき前記加速度センサが出力する擬似的な加速度検出信号をもとに加速度センサを診断する制御装置、診断結果を表示する表示装置、該表示装置を備えた地震検出装置を収容する筐体を備え、該筐体の前記押しボタンスイッチおよび表示装置を被覆する部分は開閉自在の透明カバーで構成すると共に、前記地震検出装置は、診断結果を外部と送受信する外部入出力回路を備え、該外部入出力回路の動作状態をもとに表示装置を点灯または消灯して地震検出装置の異常を表示する。
【発明の効果】
【０００８】
本発明は、以上の構成を備えるため、地震検出装置の故障を簡易に診断することができる。
【図面の簡単な説明】
【０００９】
【図１】本実施形態にかかるエレベータ装置を説明する図である。
【図２】地震検出装置の外観を説明する図である。
【図３】地震検出装置の自己診断処理を説明する図である。
【発明を実施するための形態】
【００１０】
以下、本発明の実施形態を添付図面を参照しながら説明する。図１は、本実施形態にかかるエレベータ装置を説明する図である。
【００１１】
図１において、１は長周期地震を検出する地震検出装置、２は加速度センサ４を診断する際に操作する押しボタンスイッチ、３は地震検出装置１全体を制御する制御装置（マイコン）であり、前記擬似加速度検出信号を受信し、受信した擬似加速度検出信号に演算処理を施して加速度センサ４の状態を診断する。４は長周期振動を検出する加速度センサであり、制御装置３から診断指令を受けたとき、擬似的な加速度検出信号（擬似加速度検出信号）を発生する。
【００１２】
５は入出力回路であり、制御装置３の診断結果を外部システム７との間で送受信する。また、この入出力回路５の動作状態をもとに地震検出装置１の故障を検出することができる。６は表示部であり、制御装置３の診断結果を表示灯の状態等により表示する。７は入出力回路と接続する外部システムである
図２は、地震検出装置１の外観を説明する図である。図２に示すように地震検出装置１は筐体９内に収納され、前記筐体９の保守員が作業を行う部分には開閉自在のカバー８が取り付けてある。地震検出装置の保守点検に際しては、地震検出装置１本体を収納する筐体を開くことなく、前記カバー部分を開くだけで、保守点検の作業を行うことができる。  また、前記カバーを透明のカバーにすることで、地震検出装置の状態を前記カバーを開くことなく、表示灯の状態で確認することができ、一目で装置が正常であるか異常であるかを判断することができる。また、透明カバーを使用することで、カバーを開閉する必要はないので、塵や埃が装置内に入ることは抑制される。
【００１３】
図３は、地震検出装置の自己診断処理を説明する図である。まず、ステップ１において、保守員は保守点検を行うため押しボタンスイッチ部の透明カバーを開き、ステップ２において、押しボタンスイッチ部の押しボタンスイッチを押下する。ステップ３において、制御装置（マイコン）３は、押しボタンスイッチの押下に応答して、加速度センサ４に対して擬似信号を出力させるための指令信号を出力する。
【００１４】
ステップ４において、制御装置より指令を受けた加速度センサ４は、擬似加速度信号を制御装置３に出力する。制御装置３は前記擬似加速度信号の有無を監視し、擬似加速度信号が検出できたときステップ５に進み、検出できないときステップ８に進む。ステップＳ８において、ステップ７と異なる表示灯の状態に駆動する。すなわち、この状態は加速度センサから擬似加速度信号が発生していない状態であるので、装置の異常を表示する。
【００１５】
ステップ５において、検出した擬似加速度信号に対して、制御装置３により演算を施し、長周期地震を検出したときに検出する信号と同等の信号を検出する。検出した信号は、外部システム７と接続する入出力回路５へ出力する。
【００１６】
ステップ６において、ステップ５にて出力した信号により、入出力回路５が正常に動作しているか否かを確認する。
【００１７】
ステップ６において入出力回路５が正常に動作していると判断した場合には、ステップＳ７において特定の表示灯の状態にする。なお、ステップ６において入出力回路５が正常に動作していないと判断した場合には、ステップ７と異なる表示灯の状態に駆動する。
【００１８】
このようにして表示灯の状態によって、長周期地震を検出する地震検出装置が故障しているか否かを判断することができる。
【符号の説明】
【００１９】
１  地震検出装置
２  押しボタンスイッチ
３  制御装置
４  加速度センサ
５  入出力回路
６  表示部
７  外部システム
８  カバー
【図１】
0005437732.tif 000002
【図２】
0005437732.tif 000003
【図３】
0005437732.tif 000004